(57)【要約】【課題】ペダルを踏み込むと、ペダルの一端がクランクロッドの回転に伴い上下の起伏動作を発生し、ペダルの別端がローラに伴いスライド板の上方で往復移動し、クランクロッドとローラの動作の結合によりペダル踏み込み時に楕円形の運動軌跡を発生し、動作が安定し安全に使用できるスライド式ステッパーの提供。【解決手段】底座であって、その一側表面に伝動輪セットが設けられ、該伝動輪セットがクランクと該クランクの伝動を受けるフライホイールを具え、該クランクの両側よりクランクロッドが延伸され、クランクの近傍に負荷調整つまみが設けられた、上記底座と、スライド機構であって、該底座の別側表面に設置されたスライド板、及び二つのペダルを包含し、各ペダルの一端がクランクロッド上に設置され、別端にローラが設置され、該ローラが該スライド板上で往復移動可能な、上記スライド機構と、を包含する。【選択図】図１
0003139781.tif 000002
【実用新案登録請求の範囲】
【請求項１】
スライド式ステッパーにおいて、
底座と、
伝動輪セットであって、該底座の一側表面に設けられ、クランクと該クランクの伝動を受けるフライホイールを具え、該クランクの両側よりクランクロッドが延伸され、該伝動輪セットは更に負荷調整つまみを包含する、上記伝動輪セットと、
スライド式ステップ機構であって、該底座の別側表面に設置されたスライド板、及び二つのペダルを包含し、各ペダルの一端がクランクロッド上に設置され、別端にローラが設置され、該ローラが該スライド板上で往復移動可能な、上記スライド式ステップ機構と、  を包含し、該ペダルが踏み込まれるとき、ペダルの一端がクランクロッドの回転に伴い上下の起伏動作を発生し、ペダルの別端がローラに伴いスライド板の上方で往復移動し、クランクロッドとローラの動作の結合によりペダル踏み込み時に楕円形の運動軌跡を発生し、該負荷調整つまみで該クランクを回す時の負荷を調節できることを特徴とする、スライド式ステッパー。
【請求項２】
請求項１記載のスライド式ステッパーにおいて、該伝動輪セットと該スライド式ステップ機構を被覆するカバーを包含し、該負荷調整つまみは該カバーより露出し、該カバーの下端の両端が該底座に当接することを特徴とする、スライド式ステッパー。
【請求項３】
請求項１記載のスライド式ステッパーにおいて、該スライド板に近い側の該底座上にポストが立てられ、該ポストの自由端にディスプレイが設置され、該ディスプレイの両辺に該ポスト表面より延伸されたハンドレストが設けられたことを特徴とする、スライド式ステッパー。
【請求項４】
請求項３記載のスライド式ステッパーにおいて、該クランクロッドに近い側の該底座上に長さ調整可能なシートポストが立てられ、該シートポストの自由端にシートが設置されたことを特徴とする、スライド式ステッパー。
【請求項５】
請求項２記載のスライド式ステッパーにおいて、該カバーの上表面の一側にポストが立てられ、このポストの自由端にディスプレイが設置され、該ディスプレイの両辺にこのポストの表面より延伸されたハンドレストが設けられたことを特徴とする、スライド式ステッパー。
【請求項６】
請求項５記載のスライド式ステッパーにおいて、該カバーの上表面の別側に長さ調整可能なシートポストが立てられ、該シートポストの自由端にシートが設置されたことを特徴とする、スライド式ステッパー。
【請求項７】
請求項２記載のスライド式ステッパーにおいて、該クランクロッドに近い側の該カバーにポストが立てられ、このポストの自由端にディスプレイが設置され、該底座が長さ調整可能な二段式底座とされ、該底座の一側にシートポストが形成され、このシートポストの自由端に椅子が設置され、該底座の長さを調整することにより、該椅子の位置を決定できることを特徴とする、スライド式ステッパー。
【考案の詳細な説明】
【技術分野】
【０００１】
本考案は一種のスライド式ステッパーに係り、特に、体積が小さく、時間や場所に関わらず使用できるスライド式ステッパーに関する。
【背景技術】
【０００２】
周知のとおり、脚力訓練器には両足で踏み込むタイプ、或いは前後にスライドさせるタイプのものがあり、その構造の発展形式は極めて多様化しており、例えば図８に示されるスライド式ステッパーがある。それは底座Ａを包含し、該底座Ａの中段上方にウエイトホイールセットＢが設けられ、該ウエイトホイールセットＢの前方に負荷調整ユニットＢ１が設けられ、ウエイトホイールセットＢの両側に相互に反対方向に延伸されたクランクロッドＢ２があり、二つの該クランクロッドＢ２にそれぞれペダルＣが設けられ、また、二つのペダルＣの前端に、支点作用と枢接点作用を具えたガイドレールユニットＤが設けられ、該ガイドレールユニットＤはペダルＣの底面に設けられた前方向に延伸されたガイド溝ロッドＤ１を具え、該ガイド溝ロッドＤ１は開口が下向きの半円溝断面を有し、更にガイドレールユニットＤは底座Ａの前端に該ガイド溝ロッドＤ１に対応する二つの支点ローラＤ２を具え、該ガイド溝ロッドＤ１が該支点ローラＤ２上でスライド可能とされる。
【０００３】
このような形式のスライド式ステップ機構は楕円軌跡動作を発生し得るが、そのガイドレールユニットはガイド溝ロッドがローラ上でスライドすることにより前後移動を発生し、もし製造過程に、ガイド溝ロッドのスライドウエーとローラの間の間隙が大き過ぎると、踏み込み時に全体の機構にわずかでもぐらつきが生じると、ガイド溝ロッドがローラより脱落しやすく、このため使用者がスライド式ステップ機構から落下しやすい。さらに、使用者が踏み込む時には両足はペダル上に置かれ、クランクロッドを回転させるために、使用者は身体の重心を対応するクランクロッド側にあるペダルに傾けて、クランクロッドを回転させる力をペダルにかける。また、ペダルを前後に移動させる動作は使用者の両足により施力制御する必要があり、もし使用者がスライドさせる力が不当で、ローラだけでガイド溝ロッドを支持すると、支持力が不足する状況が発生する恐れがあり、特に体重が比較的重い使用者の場合、その状況が起こりやすい。また、ローラとガイド溝ロッドの間の接触面積は比較的小さく、使用者の踏み込みの過程中に、頻繁にガイド溝ロッドがロータと確実に対応しているかを注意しなければならない。
【０００４】
図９はもう一種の周知のスライド式ステッパーである。それは底座Ａ’を具え、該底座Ａ’にウエイトホイールセットＢ’が設けられ、該ウエイトホイールセットＢ’の両側に相互に反対方向に延伸されたクランクロッドＢ２’が設けられ、二つのクランクロッドＢ２’にガイドレールユニットが設けられ、該ガイドレールユニットは二つの長細いスライドロッドＤ１’を具え、二つのスライドロッドＤ１’の一端にそれぞれクランクロッドＢ２’が枢接され、もう一端にローラＤ２’が枢接され、スライドロッドＤ１’の上方にペダルＣ’が固定され、該ローラＤ２’はスライド板Ｄ３’上で転がる。しかし、このようなスライド式ステッパーのローラはスライド板（平面）上を転がり、前述のスライド式ステッパーよりも安定しているが、ローラはスライドロッドに伴い前後に移動する時、カバーで覆われていないために傍らの人にぶつかりやすく、安全上の問題がある。
【０００５】
上述の数々の欠点のために、周知のスライド式ステップ機構、特にそのガイドレールユニットには改良の必要がある。
【考案の開示】
【考案が解決しようとする課題】
【０００６】
本考案は周知のスライド式ステップ機構を改善し、すなわち、周知の技術におけるガイドレールユニットが踏み込み過程でガイド溝ロッドのローラに対する偏りにより使用者に怪我をさせる問題、及び、ローラとガイド溝ロッドの間の組合せが使用者を効果的に支持できず、使用者がガイド溝ロッドがローラに整合してローラを押さえているかを心配する必要があった問題を解決するため、一種のスライド式ステッパーを提供することを課題とし、それは周知のガイドレールユニットよりも安定したスライド式ステップ機構を具備し、ペダル末端が確実にスライド板上方で往復移動し、ペダル末端がスライド板を離脱して使用者に怪我をさせる危険を回避でき、使用者が安心して使用できるものとする。
【課題を解決するための手段】
【０００７】
本考案のスライド式ステッパーは、底座であって、該底座の一側表面に伝動輪セットが設けられ、該伝動輪セットがクランクと該クランクの伝動を受けるフライホイールを具え、該クランクの両側よりクランクロッドが延伸され、クランクの近傍に負荷調整つまみが設けられた、上記底座と、スライド式ステップ機構であって、該底座の別側表面に設置されたスライド板、及び二つのペダルを包含し、各ペダルの一端がクランクロッド上に設置され、別端にローラが設置され、該ローラが該スライド板上で往復移動可能な、上記スライド式ステップ機構と、を包含する。
【０００８】
該ペダルが踏み込まれるとき、ペダルの一端がクランクロッドの回転に伴い上下の起伏動作を発生し、ペダルの別端がローラに伴いスライド板の上方で往復移動し、クランクロッドとローラの動作の結合によりペダル踏み込み時に楕円形の運動軌跡を発生し、該負荷調整つまみで該クランクを回す時の負荷を調節できる。
【０００９】
使用者が踏み込み過程で不注意から伝動輪セットを踏んで怪我をするのを防止するため、伝動輪セット及びスライド式ステップ機構外部を被覆するカバーを設置してもよい。
【００１０】
さらにスライド式ステッパーを使用する時、ペダルを踏む両足のみで身体を支えると、平衡感覚の悪い使用者は運動過程中に転ぶ恐れがある。このため、カバーの上表面両側にハンドレストとシートを設け、使用者の身体に対する支持を幇助し、安定させる機能を達成する。
【考案の効果】
【００１１】
本考案のスライド式ステッパーのスライド式ステップ機構はローラがスライド板上を転がり、接触面積が従来のスライド式ステップ機構のローラとガイド溝ロッドより大きく、ローラがスライド板を脱出しにくく、使用者が機構の位置ずれによりスライド式ステッパーから落ちる状況がない。また、使用者がペダルに対して前向き或いは後ろ向きの推力を加える時、ローラはスライド板上で転がり、一般の推進補助の力を形成し、使用者が安心してスライド式ステッパーを使用でき、安全上の問題がない。
【００１２】
また、本考案は平衡感覚の悪い使用者に対してハンドレストとシートを設計しており、使用者はシートに腰掛けてペダルを踏み込むことができる。
【考案を実施するための最良の形態】
【００１３】
図１は本考案のスライド式ステッパーの実施例の立体図である。その構造は、底座１、伝動輪セット２、スライド式ステップ機構３を包含する。
【００１４】
該底座１は略Ｉ形を呈し、該底座１の表面の一側に対称な壁面１１が設置されて、伝動輪セット２の架設に用いられる。伝動輪セット２はクランク２１を包含し、該クランク２１の両面よりクランクロッド２１１が延伸され、各クランクロッド２１１の自由端に横向きにペダルロッド２１２が接続され、該クランク２１はベルトでフライホイール２２に回転力を伝動し、伝動輪セット２はさらに負荷調整つまみ２３を包含し、該負荷調整つまみ２３はクランク２１を回転させる時の負荷を調節するのに用いられる。該スライド式ステップ機構３はスライド板３１を包含し、該スライド板３１は底座１の表面のもう一側に設置される。スライド板３１は重量を軽減するためＨ形に設計可能である。スライド式ステップ機構３はさらに二つのペダル３２を包含し、該ペダル３２の一端はペダルロッド２１２上に設置され、もう一端に横向きにロッド３２１が接続され、該ロッド３２１にローラ３２２が接続され、該ロッド３２１及びペダルロッド２１２は相互に平行であり、ペダル３２は両者の間を縦方向に連結し、該ローラ３２２はスライド板３１上で往復移動可能で、以上で小体積のスライド式ステッパーが構成される。
【００１５】
スライド式ステッパーを使用する時、使用者は両足で二つのペダル３２を踏み、並びに負荷調整つまみ２３に向き合うようにし、二つのペダル３２は圧力を受けると、ペダル３２の一端が二つのクランクロッド２１１の回転により交替する上下の起伏動作を発生し、二つのペダル３２のもう一端はローラ３２２に伴いスライド板３１の上方で往復移動し、クランクロッド２１１の上下の起伏動作とローラ３２２の前後のスライド動作の結合により、ペダル３２が踏み込まれる時に、楕円形の運動軌跡を発生し（図２）、クランクロッド２１１が一周回転すると、ちょうどローラ３２２がスライド板３１上で一回往復する。使用者はスライド式ステッパーを連続して両足で踏み込むことで運動でき、踏み込み時の負荷は負荷調整つまみ２３により調整でき、これにより使用者の下肢の筋力を鍛えることができる。
【００１６】
図３は本考案のスライド式ステッパーの別の実施例を示す。伝動輪セット及びスライド式ステップ機構の損壊を防止すると共に、使用者が踏み込む過程で不注意から伝動輪セットを踏んで怪我をするのを防止するため、カバー４を設置可能であり、該カバー４は伝動輪セット及びスライド式ステップ機構外部を被覆し、カバー４の下端の両端は底座１上に当接し位置決めされ、負荷調整つまみ２３はカバー４より露出して負荷調整に便利とされる。カバー４を設置するもう一つの目的は、スライド式ステッパーの質感を向上することにある。
【００１７】
図４は本考案のスライド式ステッパーのその他の実施例を示す。スライド式ステッパーを使用する時、もしペダル３２を踏む両足だけで身体を支えると、平衡感覚の劣る使用者は運動過程で転ぶ恐れがある。このため、スライド板３１に接近する側の底座１上にポスト５を立て、ポスト５の自由端の表面より二つの対称なハンドレスト５１を延伸し、使用者の握持に供する。またポスト５の自由端面にディスプレイ５２を設置し、該ディスプレイ５２はステップ数計算、時間計算等の機能を具備する。
【００１８】
図５は本考案のスライド式ステッパーの別の実施例を示す。底座１上にはポスト５を設置して使用者による握持に供するほか、クランクロッド２１１に近い側の底座１上にシート６を設置可能で、シート６は長さ調整できるシートポスト６１上に設置され、使用者は自身の高さに応じてシート６の高さを調整できる。使用者が両手でハンドレスト５１を握持し、シート６に座ることで、スライド式ステッパー使用の安全性を高めることができる。
【００１９】
図６は本考案のスライド式ステッパーのその他の実施例を示す。伝動輪セットとスライド式ステップ機構の外側に上述のカバー４が設けられ、上述のポスト５（ハンドレスト５１を包含する）とシート６はそれぞれカバー４の上表面の両側に置かれ、同様に使用者の身体を支持し安定させる機能を達成する。
【００２０】
図７は本考案のスライド式ステップ機構のその他の実施例を示す。それは二段式の底座７が設計され、二段の底座７の間に固定手段７１が設けられ、二段の底座７は引き伸ばし或いは短縮の相対操作可能で、これにより底座７の総長さを調整でき、長さ確定後に該固定手段７１で固定位置決めする。そのうち一段の底座７に上向きのシート取付部７２が設けられ、該シート取付部７２に背もたれ８１を具えた椅子８が設置される。もう一段の底座７上に上述のスライド式ステップ機構３、伝動輪セット２（図１参照）が設置され、並びにカバー４で被覆され、上述の負荷調整つまみ２３はカバー４より露出し、椅子８に近い側のカバー４上にディスプレイポスト９が立てられ、該ディスプレイポスト９の自由端面にディスプレイ９１が設置され、該ディスプレイ９１は歩数計算、時間計算等の機能を具備する。このスライド式ステッパーを使用する前に、使用者は自身の身長に応じて底座７の長さを調整し、並びにディスプレイ９１に対向するように座り、背部を椅子８の背もたれ８１に寄り掛からせることで、両足で快適にペダルを踏んで、連続して踏み込み運動を行なうことができる。
【００２１】
本考案のスライド式ステッパーは構造が単純で体積が小さく、このため携帯に便利で随時使用でき、使用後の収納に場所をとらない。また、伝動機構がカバーで被覆され、スライド式ステッパー全体の品質感がアップされると共に使用時の安全性が確保され、平衡感覚の劣る使用者はハンドレストとシートを選択的に取り付けて使用できる。
【００２２】
以上は本考案の好ましい実施例の説明であって、本考案に対していかなる制限も加えるものではない。本考案に基づきなし得る細部の修飾或いは変更はいずれも本考案の請求範囲に属する。
【図面の簡単な説明】
【００２３】
【図１】本考案のスライド式ステッパーの第１実施例図である。
【図２】本考案のスライド式ステッパーの側面図である。
【図３】本考案のスライド式ステッパーの第２実施例図である。
【図４】本考案のスライド式ステッパーの第３実施例図である。
【図５】本考案のスライド式ステッパーの第４実施例図である。
【図６】本考案のスライド式ステッパーの第５実施例図である。
【図７】本考案のスライド式ステッパーの第６実施例図である。
【図８】周知のスライド式ステッパーの立体図である。
【図９】周知の別のスライド式ステッパーの立体図である。
【符号の説明】
【００２４】
１  底座      １１  壁面        ２  伝動輪セット      ２１  クランク
２１１  クランクロッド          ２１２  ペダルロッド  ２２  フライホイール
２３  負荷調整つまみ            ３  スライド式ステップ機構
３１  スライド板                ３２  ペダル          ３２１  ロッド
３２２  ローラ                  ４  カバー            ５  ポスト
５１  ハンドレスト              ５２  ディスプレイ    ６  シート
６１  シートポスト              ７  底座              ７１  固定手段
７２  シート取付部              ８  椅子              ８１  背もたれ
９  ディスプレイポスト          ９１  ディスプレイ    Ａ  底座
Ｂ  ウエイトホイールセット      Ｂ１  負荷調整ユニット    Ｂ２  クランクロッド
Ｃ  ペダル                      Ｄ  ガイドレールユニット  Ｄ１  ガイド溝ロッド
Ｄ２  支点ローラ                Ａ’  底座        Ｂ’  ウエイトホイールセット
Ｂ２’  クランクロッド          Ｃ’  ペダル      Ｄ１’  スライドロッド
Ｄ２’  ローラ                  Ｄ３’  スライド板
【図１】
0003139781.tif 000003
【図２】
0003139781.tif 000004
【図３】
0003139781.tif 000005
【図４】
0003139781.tif 000006
【図５】
0003139781.tif 000007
【図６】
0003139781.tif 000008
【図７】
0003139781.tif 000009
【図８】
0003139781.tif 000010
【図９】
0003139781.tif 000011